(57)【要約】【課題】電動ズームレンズを装着したカメラによるハイアングル撮影を容易に行うことができるカメラシステムを提供する。【解決手段】本発明に係わるカメラシステム（１）は、光学部材（３１）、ズーム機構（３３）、レンズ側伝達部（１３ｂ）を有するレンズ鏡筒と、光学部材により形成された被写体像を撮像する撮像部（２６）、駆動力を発生するカメラ側モータ（２７）、ボディ側伝達部（１３ａ）、操作部（２９）、レンズ鏡筒（３）が装着された状態において操作部から入力された駆動量に応じてカメラ側モータを駆動することにより当該カメラ側モータで発生した駆動力をボディ側伝達部からレンズ側伝達部に伝達してズーム機構を動作させる制御部（２１）を有するカメラと、を備える。【選択図】図１
2010145954.tif 000002
【特許請求の範囲】
【請求項１】
光学部材、前記光学部材の少なくとも一部を前記光学部材の光軸方向に移動させて焦点距離を可変とするズーム機構、前記ズーム機構に外部からの駆動力を伝達するレンズ側伝達部を有するレンズ鏡筒と、
前記光学部材により形成された被写体像を撮像する撮像部、駆動力を発生するカメラ側モータ、前記レンズ側伝達部に対し前記カメラ側モータで発生した駆動力を伝達するボディ側伝達部、前記カメラ側モータの駆動量を入力可能な操作部、前記レンズ鏡筒が装着された状態において前記操作部から入力された駆動量に応じて前記カメラ側モータを駆動することにより当該カメラ側モータで発生した駆動力を前記ボディ側伝達部から前記レンズ側伝達部に伝達して前記ズーム機構を動作させる制御部を有するカメラと、
を備え、前記レンズ鏡筒が前記カメラに対して着脱自在に装着されることを特徴とするカメラシステム。
【請求項２】
請求項１に記載のカメラシステムであって、
前記カメラ側モータは、
前記ボディ側伝達部から外部に伝達した駆動力により、装着されたレンズ鏡筒の光学部材の少なくとも一部を前記光学部材の光軸方向に移動させて焦点調節を行うための焦点調節用モータであることを特徴とするカメラシステム。
【請求項３】
請求項１または２に記載のカメラシステムであって、
前記レンズ側伝達部と前記ボディ側伝達部は、
前記カメラ側モータで発生した駆動力を、装着されたレンズ鏡筒の光学部材の少なくとも一部を前記光学部材の光軸方向に移動させて焦点調節を行うための駆動力として伝達するカップリング機構であることを特徴とするカメラシステム。
【請求項４】
請求項１から３のいずれか一項に記載のカメラシステムであって、
前記レンズ鏡筒は、
光学部材と、前記光学部材の少なくとも一部を前記光学部材の光軸方向に移動させて焦点調節を可能とする焦点調節機構と、前記焦点調節機構を駆動するための駆動力を発生するレンズ側モータと、前記レンズ側モータを駆動するレンズ側モータドライバと、前記レンズ側モータドライバを制御するレンズ側制御部と、前記レンズ側制御部にレンズ駆動量を伝達するレンズ側接続部とを有し、
前記カメラは、
入射した被写体光に基づいてデフォーカス量を検出する焦点検出部と、前記レンズ側接続部と電気的に接続してレンズ駆動量を伝達するボディ側接続部と、前記焦点検出部で検出されたデフォーカス量に基づいてレンズ駆動量を算出するとともに当該レンズ駆動量を前記ボディ側接続部から前記レンズ側接続部を介して前記レンズ側制御部に伝達するボディ側制御部とを備えること、
を特徴とするカメラシステム。
【請求項５】
請求項１から４のいずれか一項に記載のカメラシステムであって、
前記カメラの前記操作部は、
前記カメラの本体をユーザが保持する際に握るグリップ部の近傍に設けられていることを特徴とするカメラシステム。
【請求項６】
光学部材と、前記光学部材の少なくとも一部を前記光学部材の光軸方向に移動させて焦点距離を可変とするズーム機構と、前記ズーム機構に外部からの駆動力を伝達するレンズ側伝達部とを有することを特徴とするレンズ鏡筒。
【請求項７】
請求項６に記載のレンズ鏡筒であって、
前記光学部材の少なくとも一部を前記光学部材の光軸方向に移動させて焦点調節を可能とする焦点調節機構と、前記焦点調節機構を駆動するための駆動力を発生するレンズ側モータと、前記レンズ側モータを駆動するレンズ側モータドライバと、前記レンズ側モータドライバを制御するレンズ側制御部と、前記レンズ側制御部にレンズ駆動量を伝達するレンズ側接続部とを有することを特徴とするレンズ鏡筒。
【請求項８】
レンズ鏡筒が着脱自在に装着されるカメラであって、
入射した被写体像を撮像する撮像部と、駆動力を発生するカメラ側モータと、前記カメラ側モータで発生した駆動力を外部に伝達するボディ側伝達部と、前記カメラ側モータの駆動量を入力可能な操作部と、前記操作部から入力された駆動量に応じて前記カメラ側モータを駆動することにより、装着されたレンズ鏡筒に設けられたズーム機構を動作させるための駆動力を発生させて前記ボディ側伝達部から前記レンズ鏡筒側に伝達させる制御部とを有することを特徴とするカメラ。
【請求項９】
請求項８に記載のカメラであって、
前記カメラ側モータは、
前記ボディ側伝達部から外部に伝達した駆動力により、装着されたレンズ鏡筒の光学部材の少なくとも一部を前記光学部材の光軸方向に移動させて焦点調節を行うための焦点調節用モータであることを特徴とするカメラ。
【請求項１０】
請求項８または９に記載のカメラであって、
前記ボディ側伝達部は、
前記カメラ側モータで発生した駆動力を、装着されたレンズ鏡筒の光学部材の少なくとも一部を前記光学部材の光軸方向に移動させて焦点調節を行うための駆動力として、装着されたレンズ鏡筒に設けられたレンズ側伝達部に伝達するカップリング機構の一方であることを特徴とするカメラ。
【請求項１１】
請求項１０に記載のカメラであって、
前記操作部は、
本カメラの本体をユーザが保持する際に握るグリップ部の近傍に設けられていることを特徴とするカメラ。
【発明の詳細な説明】
【技術分野】
【０００１】
本発明は、電動ズーム機構を備えたカメラシステムと、このシステムに用いられるレンズ鏡筒、及びカメラに関するものである。
【背景技術】
【０００２】
従来より、レンズの焦点距離を所定範囲で変えることができる、いわゆるズームレンズと呼ばれるレンズが知られている。このズームレンズは、レンズ鏡筒外周部に設けられたズーム環を手動で操作することにより、内部のレンズ群を接近または離間させて所望の焦点距離が得られるようにしたものである。また、レンズ鏡筒内に駆動源となるモータを内蔵し、ユーザがスイッチやレバー等の操作部を操作することによりレンズの焦点距離を電気的に変えるように構成された電動ズーム（パワーズーム）レンズが知られている（例えば、特許文献１参照）。
【特許文献１】特開平０６−０９４９６７号公報
【発明の開示】
【発明が解決しようとする課題】
【０００３】
近年、デジタル一眼レフカメラでは、光学ファインダの代わりにカメラの背面に設けた液晶パネルに撮影画像を映し出す、いわゆるライブビューと呼ばれる機能を備えたものが主流となりつつある。また、ライブビュー撮影を容易にするため、液晶パネルの角度を自由に変えられるようにした機種もある。
【０００４】
このようなライブビュー撮影における撮影スタイルは、光学ファインダを覗く場合と同じであり、片方の手でカメラボディを保持し、もう片方の手でレンズ鏡筒を保持することが基本となる。これは、上記のようなズームレンズを装着したカメラの場合も同じであり、カメラボディを片手で保持し、もう片方の手でズームの操作部を保持することになる。すなわち、カメラとレンズ鏡筒とを両手で保持する必要がある。
【０００５】
このため、ハイアングル撮影において、ズームレンズを装着したカメラを片手で保持したまま頭上に差し上げ、手前側に傾けた液晶パネルの撮影画面を見ながら撮影するような場合においても、ユーザは両手を使って撮影しなければならなかった。
【０００６】
一方、上記のような電動ズームレンズを装着した場合には、手動でズーム環を操作するのに比べてズーム操作は楽になるものの、カメラとレンズ鏡筒とを両手で保持する必要があることに変わりはない。また、従来の電動ズームレンズは、レンズ鏡筒内に駆動源となるモータを内蔵しているため、レンズ鏡筒が大きくなり、また重量増となる。このため、電動ズームレンズを装着したカメラでは、カメラを両手で保持し続けることが難しく、ユーザにとって大きな負担となる。
このように、従来のカメラにおいては、電動ズームレンズ装着時のハイアングル撮影を容易に行うことができるようにすることが望まれていた。
【０００７】
本発明の課題は、電動ズームレンズを装着したカメラによるハイアングル撮影を容易に行うことができるカメラシステム、カメラ、およびレンズ鏡筒を提供することにある。
【課題を解決するための手段】
【０００８】
本発明は、以下のような解決手段により前記課題を解決する。なお、理解を容易にするために、本発明の実施形態に対応する符号を付して説明するが、これに限定されるものではない。
請求項１に記載の発明は、光学部材（３１）、前記光学部材の少なくとも一部を前記光学部材の光軸方向に移動させて焦点距離を可変とするズーム機構（３３）、前記ズーム機構に外部からの駆動力を伝達するレンズ側伝達部（１３ｂ）を有するレンズ鏡筒（３）と、前記光学部材により形成された被写体像を撮像する撮像部（２６）、駆動力を発生するカメラ側モータ（２７）、前記レンズ側伝達部に対し前記カメラ側モータで発生した駆動力を伝達するボディ側伝達部（１３ａ）、前記カメラ側モータの駆動量を入力可能な操作部（２９）、前記レンズ鏡筒が装着された状態において前記操作部から入力された駆動量に応じて前記カメラ側モータを駆動することにより当該カメラ側モータで発生した駆動力を前記ボディ側伝達部から前記レンズ側伝達部に伝達して前記ズーム機構を動作させる制御部（２１）を有するカメラ（２）とを備え、前記レンズ鏡筒が前記カメラに対して着脱自在に装着されることを特徴とするカメラシステム（１）である。
請求項２に記載の発明は、請求項１に記載のカメラシステムであって、前記カメラ側モータ（２７）は、前記ボディ側伝達部（１３ａ）から外部に伝達した駆動力により、装着されたレンズ鏡筒の光学部材の少なくとも一部を前記光学部材の光軸方向に移動させて焦点調節を行うための焦点調節用モータであることを特徴とする。
請求項３に記載の発明は、請求項１または２に記載のカメラシステムであって、前記レンズ側伝達部と前記ボディ側伝達部は、前記カメラ側モータ（２７）で発生した駆動力を、装着されたレンズ鏡筒（３）の光学部材（３１）の少なくとも一部を前記光学部材の光軸方向に移動させて焦点調節を行うための駆動力として伝達するカップリング機構（１３）であることを特徴とする。
請求項４に記載の発明は、請求項１から３のいずれか一項に記載のカメラシステム（１）であって、前記レンズ鏡筒（３）は、光学部材（３１）と、前記光学部材の少なくとも一部を前記光学部材の光軸方向に移動させて焦点調節を可能とする焦点調節機構（３２）と、前記焦点調節機構を駆動するための駆動力を発生するレンズ側モータ（３４）と、前記レンズ側モータを駆動するレンズ側モータドライバ（３５）と、前記レンズ側モータドライバを制御するレンズ側制御部（３６）と、前記レンズ側制御部にレンズ駆動量を伝達するレンズ側接続部（１４ｂ）とを有し、前記カメラ（２）は、入射した被写体光に基づいてデフォーカス量を検出する焦点検出部（２３）と、前記レンズ側接続部と電気的に接続してレンズ駆動量を伝達するボディ側接続部（１４ａ）と、前記焦点検出部で検出されたデフォーカス量に基づいてレンズ駆動量を算出するとともに当該レンズ駆動量を前記ボディ側接続部から前記レンズ側接続部を介して前記レンズ側制御部に伝達するボディ側制御部（２１）とを備えることを特徴とする。
請求項５に記載の発明は、請求項１から４のいずれか一項に記載のカメラシステム（１）であって、前記カメラの前記操作部（２９）は、前記カメラの本体をユーザが保持する際に握るグリップ部（８）の近傍に設けられていることを特徴とする。
請求項６に記載の発明は、光学部材（３１）と、前記光学部材の少なくとも一部を前記光学部材の光軸方向に移動させて焦点距離を可変とするズーム機構（３３）と、前記ズーム機構に外部からの駆動力を伝達するレンズ側伝達部（１３ｂ）とを有することを特徴とするレンズ鏡筒（３）である。
請求項７に記載の発明は、請求項６に記載のレンズ鏡筒（３）であって、前記光学部材（３１）の少なくとも一部を前記光学部材の光軸方向に移動させて焦点調節を可能とする焦点調節機構（３２）と、前記焦点調節機構を駆動するための駆動力を発生するレンズ側モータ（３４）と、前記レンズ側モータを駆動するレンズ側モータドライバ（３５）と、前記レンズ側モータドライバを制御するレンズ側制御部（３６）と、前記レンズ側制御部にレンズ駆動量を伝達するレンズ側接続部（１４ｂ）とを有することを特徴とする。
請求項８に記載の発明は、レンズ鏡筒が着脱自在に装着されるカメラであって、入射した被写体像を撮像する撮像部（２６）と、駆動力を発生するカメラ側モータ（２７）と、前記カメラ側モータで発生した駆動力を外部に伝達するボディ側伝達部（１３ａ）と、前記カメラ側モータの駆動量を入力可能な操作部（２９）と、前記操作部から入力された駆動量に応じて前記カメラ側モータを駆動することにより、装着されたレンズ鏡筒に設けられたズーム機構を動作させるための駆動力を発生させて前記ボディ側伝達部から前記レンズ鏡筒側に伝達させる制御部（２１）とを有することを特徴とする。
請求項９に記載の発明は、請求項８に記載のカメラであって、前記カメラ側モータ（２７）は、前記ボディ側伝達部（１３ａ）から外部に伝達した駆動力により、装着されたレンズ鏡筒の光学部材の少なくとも一部を前記光学部材の光軸方向に移動させて焦点調節を行うための焦点調節用モータであることを特徴とする。
請求項１０に記載の発明は、請求項８または９に記載のカメラであって、前記ボディ側伝達部は、前記カメラ側モータ（２７）で発生した駆動力を、装着されたレンズ鏡筒の光学部材の少なくとも一部を前記光学部材の光軸方向に移動させて焦点調節を行うための駆動力として、装着されたレンズ鏡筒に設けられたレンズ側伝達部に伝達するカップリング機構の一方（１３ａ）であることを特徴とする。
請求項１１に記載の発明は、請求項１０に記載のカメラであって、前記操作部（２９）は、本カメラの本体をユーザが保持する際に握るグリップ部（８）の近傍に設けられていることを特徴とする。
なお、符号を付して説明した構成は、適宜改良してもよく、また、少なくとも一部を他の構成物に代替してもよい。
【発明の効果】
【０００９】
本発明によれば、電動ズームレンズを装着したカメラによるハイアングル撮影を容易に行うことができるカメラシステム、レンズ鏡筒、およびカメラを提供することができる。
【発明を実施するための最良の形態】
【００１０】
以下、図面を参照して、本発明に係わるカメラシステム、レンズ鏡筒、およびカメラの実施形態について説明する。
【００１１】
図１は、本実施形態に係わるカメラシステムの構成を示すブロック図である。本実施形態のカメラシステム１は、カメラ（本体）２と、ＡＦ（オートフォーカス）のレンズ鏡筒３とからなり、カメラ２にレンズ鏡筒３が着脱自在なレンズ交換式のカメラシステムとして構成されている。
【００１２】
まず、カメラ２の構成について説明する。カメラ２の内部には、ボディＣＰＵ２１、測光部２２、焦点検出部２３、シャッタ２４、シャッタ制御部２５、撮像部２６、ボディ内モータ２７、ボディ内モータドライバ２８、ズーム操作部２９、背面液晶パネル３０が設けられている。
【００１３】
ボディＣＰＵ２１は、レンズ鏡筒３が装着されたカメラシステム１全体の動作を制御する部分であり、マイクロプロセッサにより構成されている。ボディＣＰＵ２１は、焦点検出部２３で検出されたデフォーカス量に基づいてレンズ駆動量を演算し、後述のレンズＣＰＵ３６へ送信する。またボディＣＰＵ２１は、撮像部２６で撮像された被写体像の画像信号や、レンズ装着時にレンズＣＰＵ３６から送信されたレンズの種類、開放Ｆ値、焦点距離などのレンズ情報のほか、図示しない感度設定部からの感度情報などに基づいて適正な露出値を演算する。そして、その露出値に応じた絞り値とシャッタスピード値を選択し、絞り値をレンズＣＰＵ３６へ、シャッタスピード値をシャッタ制御部２５へそれぞれ送信する。
【００１４】
また、ボディＣＰＵ２１は、本実施形態のレンズ鏡筒３が装着された状態において、後述するズーム操作部２９から入力された駆動量に応じてボディ内モータ２７を駆動することにより、このボディ内モータ２７で発生した駆動力をレンズ鏡筒３に伝達して、後述する電動ズーム機構３３を動作させる制御部としての機能を備えている。
【００１５】
また、ボディＣＰＵ２１は、他のレンズ鏡筒として、光学部材であるレンズと、このレンズの少なくとも一部をレンズの光軸方向に移動させて焦点調節を可能とする焦点調節機構と、この焦点調節機構に駆動力を伝達するレンズ側伝達部とを有するレンズ鏡筒、すなわち、焦点調節用のモータを内蔵しないレンズ鏡筒（以下、適宜にボディ駆動タイプのＡＦレンズという）が装着されたときには、焦点検出部２３で検出されたデフォーカス量に基づいてレンズ駆動量を演算する。
【００１６】
そして、図示しないレリーズボタンが半押しされると、このレンズ駆動量に基づいてボディ内モータ２７を駆動する。これにより、ボディ内モータ２７で発生した駆動力はカップリング機構１３を介してレンズ鏡筒３側に伝達され、レンズ３１の少なくとも一部がレンズの光軸方向に移動することで焦点調節がなされる。このとき、ズーム操作部２９は、通常の露出モードの設定や、絞り値、シャッタスピード値、露出補正値などを入力する操作部として機能する。
【００１７】
また、ボディＣＰＵ２１は、他のレンズ鏡筒として、光学部材であるレンズと、このレンズの少なくとも一部をレンズの光軸方向に移動させて焦点調節を可能とする焦点調節機構と、この焦点調節機構を駆動するための駆動力を発生するレンズ内モータと、このレンズ内モータを駆動するレンズ内モータドライバと、このレンズ内モータドライバを制御するレンズＣＰＵと、このレンズＣＰＵにレンズ駆動量を伝達する電気接点とを有するレンズ鏡筒、すなわち、本実施形態のレンズ鏡筒３から電動ズーム機構３３を除いた構成のレンズ鏡筒（以下、適宜にモータ内蔵タイプのＡＦレンズという）が装着されたときには、焦点検出部２３で検出されたデフォーカス量に基づいてレンズ駆動量を演算する。
【００１８】
そして、図示しないレリーズボタンが半押しされると、このレンズ駆動量を後述するカメラ側の電気接点１４ａからレンズ鏡筒側の電気接点１４ｂを介してレンズＣＰＵ３６に送信する。これにより、レンズ内モータ３４で発生した駆動力は焦点調節機構３２に伝達され、レンズ３１の少なくとも一部がレンズの光軸方向に移動することで焦点調節がなされる。このとき、ズーム操作部２９は、通常の露出モードの設定や、絞り値、シャッタスピード値、露出補正値などを入力する操作部として機能する。
【００１９】
上述したように、ボディＣＰＵ２１は、装着されたレンズ鏡筒の種類に応じて、ボディ内モータ２７で発生する駆動力をＡＦ駆動用または電動ズーム駆動用のいずれかに切り替えている。このような切り替えは、レンズ鏡筒がカメラ２に装着されたときに、レンズ鏡筒側のＣＰＵとの通信により、レンズの種類、開放Ｆ値、焦点距離などのレンズ情報を入手し、そのレンズ鏡筒が本実施形態の電動ズーム機構に対応する機能を備えているかを判断することにより設定される。
【００２０】
また、ボディＣＰＵ２１では、ボディ内モータ２７で発生する駆動力をＡＦ駆動用として使用するか、または電動ズーム駆動用として使用するかに応じて、ボディ内モータドライバ２８の制御プログラムを切り替えている。これによって、ボディ内モータ２７で発生する駆動力の出力が調整されることになる。なお、ボディＣＰＵ２１は、上記制御のほかにも各種の制御を実行している。ここでは、本実施形態に特徴的な機能以外についての説明を省略する。
【００２１】
測光部２２は、図示しない測光センサにより構成されている。測光部２２は、ユーザにより図示しないレリーズボタンが半押しされることで測光を開始し、画像情報を取得する。この画像情報はボディＣＰＵ２１へ送信される。なお、測光部２２の機能を実現する各部の構成については説明を省略する。
【００２２】
焦点検出部２３は、入射した被写体光に基づいて、例えば位相差検出方式を用いて、デフォーカス情報を検出する。ここでは、図示しない画面内の複数の測距エリアに対する被写体の合焦位置を検出し、そのときのデフォーカス量をデフォーカス情報としてボディＣＰＵ２１へ送信する。
【００２３】
シャッタ２４は、撮像部２６の図示しない撮像素子の被写体方向前側に配置され、図示しないシャッタ羽根を駆動（開閉）することにより、撮像素子に被写体光を露光させるものである。
シャッタ制御部２５は、シャッタ２４を駆動させる部分であり、ボディＣＰＵ２１により動作が制御されている。
【００２４】
撮像部２６は、撮像素子と画像処理部とを備えている。撮像素子は、平面的に配置された複数の固体撮像素子により構成され、レンズ３１により結像された被写体像を固体撮像素子の受光面で受光し、画像信号に変換して画像処理部へ出力する。画像処理部は、撮像素子から出力された画像信号に対し、ノイズ除去、Ａ／Ｄ変換、色補間処理、サイズ変更、符号化などの処理を必要に応じて行い、画像データを作成する。この画像データは図示しないバッファに一時的に記憶される。
【００２５】
ボディ内モータ２７は、本実施形態による電動ズーム機構３３を駆動するための駆動力と、上述したボディ駆動タイプのＡＦレンズの焦点調節機構を駆動するための駆動力とを発生する駆動源であり、例えばＤＣモータにより構成されている。ボディ内モータドライバ２８は、ボディ内モータ２７を駆動するための駆動回路であり、ボディＣＰＵ２１により制御される。なお図１において、矢印は機械的な駆動力の伝達を示している。
【００２６】
ズーム操作部２９は、ボディ内モータ２７の駆動量を入力可能な操作部である。ユーザがズーム操作部２９を操作することにより、その操作方向と操作量がボディ内モータ２７の駆動量として入力される。
【００２７】
ズーム操作部２９として、例えば、２方向に動作するレバーを用いた場合には、レバーと摺動ブラシとを連結し、さらに摺動ブラシをパターニングされた電気回路基板に接触させた構成とする。これにより、ユーザがレバーを操作すると、レバーの操作量に応じて摺動ブラシが電気回路基板上を摺動し、レバーの操作量に応じた電気信号に変換されることになる。この電気信号はボディＣＰＵ２１へ送られる。ボディＣＰＵ２１では、送られてきた電気信号をＡ／Ｄ変換することにより、レバーの操作方向および操作量を検知することができる。このような構成はレバーだけでなく、ダイアルやスイッチについても適用することができる。
【００２８】
また、ズーム操作部２９の操作として、ユーザがダイアルを速く操作したときはボディ内モータ２７の駆動速度を速くし、ゆっくり操作したときにはボディ内モータ２７の駆動速度を遅くするというような制御を行うようにしてもよい。
【００２９】
ここで、ズーム操作部２９について説明する。図２は、カメラ２を背面側から見たときの斜視図であり、ズーム操作部２９の配置を示している。カメラ２の上面には、撮影モードなどを選択可能なモードダイアル４、ポップアップ式の閃光装置５、上部液晶パネル６、レリーズボタン７などが配置されている。また、カメラ２を背面側から見たときに、右側にはユーザが撮影時にカメラ２を保持する際に使用するグリップ８が形成されている。
【００３０】
カメラ２の背面であって、グリップ８の近傍にはズーム操作部２９として機能するメインダイアル１１が設けられている。また、カメラ２の前面側であって、グリップ８の近傍にはサブダイアル１２が設けられている。メインダイアル１１は、通常は露出モードの設定のほか、絞り値、シャッタスピード値、露出補正値などを入力するダイアルとして機能するものである。本実施形態では、モード設定によりズーム操作部２９としての機能が割り当てられている。
【００３１】
このように、ズーム操作部２９の機能はモード設定により他のダイアル等に割り当てることができる。すなわち、ズーム操作部２９の機能は、サブダイアル１２や後述するセレクタダイアル１０に割り当てるようにしてもよい。また、ダイアルに限らず、他のレバー、ボタン、スイッチなどで構成することもできる。さらに、ズーム操作部２９として機能する専用のダイアル、レバー、ボタン等を設けてもよい。
【００３２】
本実施形態においてズーム操作部２９として機能するメインダイアル１１、およびズーム操作部２９として割り当て可能なセレクタダイアル１０、サブダイアル１２は、グリップ８の近傍であって、ユーザがグリップ８を握った状態で人差し指などで操作可能な位置に配置されている。
【００３３】
カメラ２背面の中央付近には、背面液晶パネル３０が配置されている。この背面液晶パネル３０には、撮影モードや絞り値、シャッタスピード値などの情報表示のほか、メニュー画面、静止画や動画などが表示される。また背面液晶パネル３０は矢印方向に角度調節が可能であり、例えばハイアングル撮影時には、背面液晶パネル３０を手前側に傾けることにより撮影画面を見ながら撮影することができる。背面液晶パネル３０の上部にはファインダ接眼部９、右側には上述したセレクタダイアル１０が配置されている。
【００３４】
背面液晶パネル３０は、図示しないゲートドライバやデータドライバなどの駆動回路のほか、電源回路が内蔵されている。この背面液晶パネル３０はボディＣＰＵ２１と接続されており、ボディＣＰＵ２１から表示内容に関するデータが送信される構成となっている。
【００３５】
次に、レンズ鏡筒３の構成について説明する。レンズ鏡筒３の内部には、図１に示すように、レンズ３１、焦点調節機構３２、電動ズーム機構３３、レンズ内モータ３４、レンズ内モータドライバ３５、レンズＣＰＵ３６が設けられている。
【００３６】
レンズ３１は、入射した被写体光を屈折させて射出側となる撮像部２６の受光面に被写体像を結像する光学部材であり、一部のレンズを光軸方向に移動することにより焦点距離が可変なズームレンズとして構成されている。このレンズ３１の一部のレンズは焦点調節用レンズ群３１ａとして機能し、また一部のレンズは焦点距離可変レンズ群３１ｂとして機能する。図１では、これらのレンズ群を模式的に示している。
【００３７】
焦点調節機構３２は、焦点調節用レンズ群３１ａをレンズ３１の光軸方向に移動させることにより、レンズ３１の焦点調節を行う部分である。この焦点調節機構３２は、レンズ内モータ３４により駆動される。なお、レンズ３１が光軸方向に移動したときの距離情報は図示しない距離検出部により検出され、レンズＣＰＵ３６に送信される。
【００３８】
電動ズーム機構３３は、焦点距離可変レンズ群３１ｂをレンズ３１の光軸方向に移動させることにより、レンズ３１の焦点距離を広角側から望遠側の間で無段階に可変させる機構である。この電動ズーム機構３３は、カメラ２側のボディ内モータ２７により駆動される。
【００３９】
なお、レンズ鏡筒３内には、このほかにも絞りユニットなどの駆動機構や、その制御部などが設けられているが、ここでは図示と説明を省略する。
【００４０】
レンズ内モータ３４は、焦点調節機構３２を駆動するための駆動力を発生する駆動源であり、例えばＤＣモータにより構成されている。レンズ内モータドライバ３５は、レンズ内モータ３４を駆動するための駆動回路であり、レンズＣＰＵ３６により制御される。図１において、矢印は機械的な駆動力の伝達を示している。
【００４１】
レンズＣＰＵ３６は、レンズ駆動と図示しない絞りユニットの動作を制御する部分であり、マイクロプロセッサにより構成されている。レンズＣＰＵ３６は、焦点調節機構３２の図示しない距離検出部から送信された距離情報を取得してボディＣＰＵ２１へ送信する。また、ボディＣＰＵ２１から送信されたレンズ駆動量に基づいてレンズ内モータドライバ３５を制御するとともに、ボディＣＰＵ２１から送信された絞り値に基づいて図示しない絞り制御部の動作を制御する。
【００４２】
さらに、レンズＣＰＵ３６は、図示しないメモリに記憶しているレンズの種類、開放Ｆ値、焦点距離などのレンズ情報を、カメラ２のボディＣＰＵ２１に送信する。
【００４３】
カメラ２とレンズ鏡筒３との間は、マウント部２０により接合されている。具体的には、マウント部２０は、カメラ２に設けられた図示しないボディ側マウントと、レンズ鏡筒３に設けられた図示しないレンズ側マウントとで構成され、双方のマウントを係合させることによりカメラ２とレンズ鏡筒３とを連結させることができる。図１では、ボディ側マウントとレンズ側マウントとを連結した構成をマウント部２０として示している。
【００４４】
また、各マウントの周囲には、カップリング機構１３、通信用接点１４のほか、図示しない電源接点が設けられている。カップリング機構１３は、ボディ側マウントに設けられた凸形カップリング１３ａと、レンズ側マウントに設けられた凹形カップリング１３ｂとで構成されている。これらのカップリングは、ボディ側マウントとレンズ側マウントとを係合することにより、対向配置された凸部と凹部とが係合することで連結される。
【００４５】
カップリング機構１３のうち、凸形カップリング１３ａは図示しない回転軸、ギヤ等を含む機構部であり、本実施形態におけるボディ側伝達部として機能する。凸形カップリング１３ａはボディ内モータ２７に連結されている。また、凹形カップリング１３ｂは図示しない回転軸、ギヤ等を含む機構部であり、本実施形態におけるレンズ側伝達部として機能する。凹形カップリング１３ｂは電動ズーム機構３３に連結されている。これにより、ボディ内モータ２７の回転により発生した駆動力は、連結されたカップリング機構１３を介してレンズ鏡筒３側の電動ズーム機構３３に伝達される。
【００４６】
本実施形態において、ボディ駆動タイプのＡＦレンズをカメラ２に装着したときには、カメラ２のボディ内モータ２７で発生した駆動力がカップリング機構１３を介してレンズ鏡筒側の図示しない焦点調節機構に伝達される。すなわち、ボディ駆動タイプのＡＦレンズのような焦点調節用のモータを内蔵しないレンズ鏡筒をカメラ２に装着したときには、ボディ内モータ２７で発生した駆動力により、通常のＡＦカメラとして焦点調節が行われる。
【００４７】
また、電動ズーム機構を持たないモータ内蔵タイプのＡＦレンズをカメラ２に装着したときには、ボディ内モータ２７は、ＡＦ駆動用または電動ズーム駆動用のいずれにも使用されないことになる。この場合は、ボディＣＰＵ２１が焦点検出部２３で検出されたデフォーカス量に基づいてレンズ駆動量を演算し、レンズＣＰＵ３６に送信することにより、レンズ内モータ３４によるＡＦ駆動が行われる。
【００４８】
一方、本実施形態のように、電動ズーム機構３３を内蔵するレンズ鏡筒３をカメラ２に装着したときには、カメラ２のボディ内モータ２７で発生した駆動力がカップリング機構１３を介してレンズ鏡筒３側の電動ズーム機構３３に伝達される。すなわち、本実施形態のレンズ鏡筒３をカメラ２に装着したときには、ボディ内モータ２７で発生した駆動力により、電動ズームの駆動が行われる。また、レンズ鏡筒３のレンズ内モータ３４により、ＡＦカメラとしての焦点調節が行われる。
【００４９】
通信用接点１４は、ボディ側マウントに設けられた複数の電気接点１４ａと、レンズ側マウントに設けられた複数の電気接点１４ｂとで構成されている（図では電気接点を１つだけ示している）。ボディ側マウントとレンズ側マウントとを係合させると、双方の電極接点が各々接触する。これにより双方の電極接点同士が電気的に導通し、ボディＣＰＵ２１とレンズＣＰＵ３６との間での電気信号による通信が可能となる。
【００５０】
なお、ボディ側マウントに設けられた電気接点１４ａは、本実施形態におけるボディ側接続部として機能するものであり、レンズ側マウントに設けられた電気接点１４ｂは、本実施形態におけるレンズ側接続部として機能するものである。
また、通信用接点１４と同じく、ボディ側マウントに設けられた電気接点と、レンズ側マウントに設けられた電気接点とにより、図示しない電源接点が構成されている。この電源接点を介して、カメラ２内に設けられたバッテリからの電力がレンズ鏡筒３側に供給される。
【００５１】
次に、上記のように構成されたカメラシステム１において、レンズ鏡筒３をカメラ２に装着したときの処理手順を図３のフローチャートに基づいて説明する。このフローチャートによる処理は、カメラ２にレンズ鏡筒３が装着されたときにスタートする。なお、ここでは主にボディＣＰＵ２１の処理について説明するものとし、その他の処理については説明を省略する。
【００５２】
ステップＳ１０１において、ボディＣＰＵ２１は、装着されたレンズ鏡筒に対して、レンズ情報の送信要求を送信する。レンズ鏡筒のレンズＣＰＵは、この送信要求を受信すると、図示しないメモリに記憶しているレンズの種類、開放Ｆ値、焦点距離などのレンズ情報をカメラ２のボディＣＰＵ２１に送信する。なお、装着されたレンズ鏡筒にレンズＣＰＵが搭載されていない場合のように、レンズ鏡筒との間で通信が行えない場合、ボディＣＰＵ２１は露出値の演算など一部の機能のみを動作させて対応する。
【００５３】
ステップＳ１０２において、ボディＣＰＵ２１は、レンズ鏡筒側から送信されたレンズ情報を分析する。そして、ステップＳ１０３において、ボディＣＰＵ２１は、装着されたレンズ鏡筒が本実施形態の電動ズーム機構に対応する機能を備えているかを判断する。ここで、ＹＥＳであれば、本実施形態のレンズ鏡筒３と判断してステップＳ１０４へ進む。一方、ＮＯであれば、他のレンズ鏡筒と判断してステップＳ１０５へ進む。
【００５４】
ステップＳ１０４において、ボディＣＰＵ２１は、ズーム操作部２９をレンズ鏡筒３の電動ズーム駆動用の操作部として設定する。同時に、ボディ内モータドライバ２８の制御プログラムを電動ズーム駆動用に切り替える。これにより、ズーム操作部２９を操作すると、その操作方向と操作量に応じて電動ズーム機構３３が動作することになる。
【００５５】
なお、上記のような設定は、本実施形態の電動ズーム機構を備えたレンズ鏡筒３が装着されたときに、ズーム操作部２９を電動ズーム駆動用の操作部として割り当てることが、ユーザ操作により設定されていることを前提とする。
【００５６】
また、ステップＳ１０５において、ボディＣＰＵ２１は、装着されたレンズ鏡筒がボディ駆動タイプのＡＦレンズかを判断する。ここで、ＹＥＳであれば、ステップＳ１０６へ進み、ボディＣＰＵ２１は、ボディ内モータドライバ２８の制御プログラムをＡＦ駆動用に切り替える。同時に、ズーム操作部２９を通常の操作部として設定する。
【００５７】
この場合は、図示しないレリーズボタンが半押しされると、ボディＣＰＵ２１が焦点検出部２３で検出されたデフォーカス量に基づいてレンズ駆動量を演算し、このレンズ駆動量に基づいてボディ内モータ２７を駆動する。この結果、ボディ内モータ２７で発生した駆動力はカップリング機構１３を介してレンズ鏡筒側に伝達され、レンズの少なくとも一部がレンズの光軸方向に移動することで焦点調節がなされる。
【００５８】
一方、ステップＳ１０５でＮＯであれば、他の種類のレンズ鏡筒と判断してステップＳ１０７へ進む。
ステップＳ１０７において、ボディＣＰＵは、装着されたレンズ鏡筒がモータ内蔵タイプのＡＦレンズかを判断する。ここで、ＹＥＳであれば、ステップＳ１０８へ進み、ボディＣＰＵ２１は、ボディ内モータドライバ２８を非駆動用に設定する。これにより、ボディ内モータ２７は、ＡＦ駆動用または電動ズーム駆動用のいずれにも使用されないことになる。同時に、ズーム操作部２９を通常の操作部として設定する。また、この場合は、ボディＣＰＵ２１が焦点検出部２３で検出されたデフォーカス量に基づいてレンズ駆動量を演算し、レンズＣＰＵ３６に送信することにより、レンズ内モータ３４によるＡＦ駆動が行われることになる。
【００５９】
一方、ステップＳ１０７でＮＯであれば、ＡＦレンズではないと判断して、本ルーチンの処理を終了する。この場合、ボディＣＰＵ２１は、ＡＦ駆動のために必要なレンズ駆動量などの演算を行わず、例えば、自動露出モードが設定されていれば、適正な露出値の演算のみを行い、絞り値とシャッタスピードの選択を行う。
【００６０】
上記実施形態によると、以下の効果を有する。
（１）カメラ２側で発生した駆動力によりレンズ鏡筒３の電動ズーム機構３３を駆動するようにしたので、ユーザはカメラ２を片手で保持しまま、レリーズボタンの操作などの撮影動作だけでなく、電動ズームの操作を行うことができる。したがって、電動ズームレンズ装着時のハイアングル撮影などを容易に行うことができる。
【００６１】
（２）電動ズーム機構３３の駆動源となるモータをカメラ２側に配置しているため、レンズ鏡筒内に駆動源となるモータを内蔵した従来品に比べて、レンズ鏡筒を大きくすることなく、また重量増を抑えることができる。このため、ユーザに負担を強いることなしに、電動ズームレンズを装着したカメラの片手による撮影が可能となる。
【００６２】
（３）電動ズーム機構３３の駆動源として、ＡＦ駆動用のボディ内モータ２７を用いているため、駆動源を伴わない簡単な構成のズーム機構を設けるだけで電動ズームレンズを得ることができる。このため、レンズ設計も容易となり、低コストとすることができる。
【００６３】
（４）カメラ２からレンズ鏡筒３への駆動力の伝達にＡＦ駆動用のカップリング機構を用いているため、駆動力を伝達するために新たな伝達機構を設ける必要がない。このため、カメラボディの設計も容易となり、低コストとすることができる。
【００６４】
（５）電動ズーム機構３３の駆動源であるＡＦ駆動用のボディ内モータ２７は、ボディ駆動タイプのＡＦレンズを駆動するための駆動源でもあるため、通常のボディ駆動タイプのＡＦレンズを装着した場合でも、ＡＦ駆動による焦点調節を行うことができる。また、モータ内蔵タイプのＡＦレンズを装着した場合でも、レンズ内モータ３４によるＡＦの焦点調節を行うことができる。このため、従来レンズとの互換性を損なうことがなく、装着できるレンズの制約を少なくすることができる。
【００６５】
（６）ズーム操作部２９をユーザが保持する際に握るグリップ８の近傍に設けているため、ユーザはグリップ８を握った状態で人差し指などでズーム操作部２９を操作することができる。これにより、ズーム操作部２９の操作性を向上させることができる。
【００６６】
［変形形態］
以上説明した実施形態に限定されることなく、本発明は以下に示すような種々の変形や変更が可能であり、それらも本発明の範囲内である。
上記実施形態では、装着できるレンズ鏡筒としてボディ駆動タイプのＡＦレンズやモータ内蔵タイプのＡＦレンズを例に挙げたが、ＡＦ機構を持たない、いわゆるマニュアルフォーカスレンズに図１の電動ズーム機構３３を組み込んだ構成であってもよい。この場合、焦点調節は手動になるが、電動ズームの操作は片手で行うことができる。また、このような電動ズーム機構３３をもたない従来のマニュアルフォーカスレンズであっても、カメラ２に装着して撮影をすることができる。
【００６７】
また、上記実施形態では、レンズ交換式のデジタルカメラを例としたが、カメラ２とレンズ鏡筒３とが一体に構成されたカメラにも適用することができる。また、ライブビュー撮影を行わないのであれば、従来のフィルム式カメラに適用することもできる。いずれの場合も、ユーザはカメラを片手で保持しまま、レリーズボタンの操作などの撮影動作だけでなく、電動ズームの操作を行うことができる。
【図面の簡単な説明】
【００６８】
【図１】実施形態に係わるカメラシステムの構成を示すブロック図である。
【図２】カメラを背面側から見たときの斜視図である。
【図３】レンズ鏡筒をカメラに装着したときの処理手順を示すフローチャートである。
【符号の説明】
【００６９】
１：カメラシステム、２：カメラ、３：レンズ鏡筒、１３：カップリング機構、２１：ボディＣＰＵ、２７：ボディ内モータ、２８：ボディ内モータドライバ、２９：ズーム操作部、３０：背面液晶パネル、３１：レンズ、３２：焦点調節機構、３３：電動ズーム機構、３６：レンズＣＰＵ
【図１】
2010145954.tif 000003
【図２】
2010145954.tif 000004
【図３】
2010145954.tif 000005